(57)【要約】【課題】コイルを所望の形状に成型することができ、生産効率を向上することができるコイル成型装置およびコイル成型方法を提供する。【解決手段】コイル成型装置１０１であって、コイルは、一対のスロット挿入部と、ステータコアの軸方向端面において一対のスロット挿入部の端部同士の間を連結する一対のコイル渡り部と、を備えたリング状に形成され、コイル成型装置は、導線巻回体が配置される導線巻回体セット部と、導線巻回体における一対のコイル渡り部に相当する位置を挟持するコイル渡り部挟持部１０３と、コイル渡り部挟持部と連結され、成型後のコイル渡り部の型形状を有するコイル渡り部拘束部１０４と、コイル渡り部挟持部とコイル渡り部拘束部とを、ステータの外周側が内周側よりも下方向にくるようにコイル内径側へ誘導する円弧部が形成されたレール部１０９と、スロット挿入部を挟持するスロット挿入部挟持部１１０と、を有する。【選択図】図２０
2011229291.tif 000002
【特許請求の範囲】
【請求項１】
ティース部およびヨーク部が形成されたステータコア片が複数連結されて円環状に形成されたステータコアと、隣接する前記ステータコア片の前記ティース部間に形成されるスロット部を架け渡すように挿入されるコイルと、を備えたステータと、該ステータの内周側に配され、回転可能に支持されたロータと、を有するモータに使用されるコイル成型装置であって、
前記コイルは、前記ステータコア片が連結されて円環状になった際に、軸中心を指向する前記ティース部の傾斜に沿う角度と略同一の傾斜角度を有し、前記スロット部に挿入される一対のスロット挿入部と、前記ステータコアの軸方向端面において前記一対のスロット挿入部の端部同士の間を連結する一対のコイル渡り部と、を備えたリング状に形成され、
前記コイル成型装置は、
導線を巻き回して形成される導線巻回体が配置される導線巻回体セット部と、
前記導線巻回体における前記一対のコイル渡り部に相当する位置を挟持するコイル渡り部挟持部と、
該コイル渡り部挟持部と連結され、成型後の前記コイル渡り部の型形状を有するコイル渡り部拘束部と、
前記コイル渡り部挟持部と前記コイル渡り部拘束部とを、前記ステータの外周側が内周側よりも下方向にくるようにコイル内径側へ誘導する円弧部が形成されたレール部と、
前記スロット挿入部を挟持するスロット挿入部挟持部と、を有することを特徴とするコイル成型装置。
【請求項２】
前記スロット挿入部挟持部における前記導線巻回体が当接する面は、凸状に形成されていることを特徴とする請求項１に記載のコイル成型装置。
【請求項３】
前記コイルは、該コイルにおける前記スロット挿入部と前記コイル渡り部との境界に、前記導線の高屈曲を回避するための円弧状に湾曲した張出部が形成され、
前記コイル成型装置は、前記張出部の形状に対応した湾曲面を有する張出部形成部をさらに備え、
該張出部形成部は、前記コイル渡り部挟持部および前記コイル渡り部拘束部を前記レール部に沿って移動させて前記コイル渡り部を形成した後に、前記スロット挿入部と前記コイル渡り部との境界に当接して、さらに前記コイルの外径方向にスライドすることにより前記張出部を形成可能に構成されていることを特徴とする請求項１または２に記載のコイル成型装置。
【請求項４】
ティース部およびヨーク部が形成されたステータコア片が複数連結されて円環状に形成されたステータコアと、隣接する前記ステータコア片の前記ティース部間に形成されるスロット部を架け渡すように挿入されるコイルと、を備えたステータと、該ステータの内周側に配され、回転可能に支持されたロータと、を有するモータに使用されるコイル成型方法であって、
前記コイルは、前記ステータコア片が連結されて円環状になった際に、軸中心を指向する前記ティース部の傾斜に沿う角度と略同一の傾斜角度を有し、前記スロット部に挿入される一対のスロット挿入部と、前記ステータコアの軸方向端面において前記一対のスロット挿入部の端部同士の間を連結する一対のコイル渡り部と、を備えたリング状に形成され、
導線を巻き回して形成される導線巻回体をコイル成型装置に前記ステータの外周側を下にしてセットする導線巻回体セット工程と、
前記導線巻回体における前記一対のコイル渡り部に相当する位置を挟持するコイル渡り部挟持工程と、
前記挟持したコイル渡り部を内周側へ、前記ステータの内周側から外周側に向かう端面が鉛直状態になるように引き込むコイル渡り部引き込み工程と、を備えていることを特徴とするコイル成型方法。
【請求項５】
前記コイルは、該コイルにおける前記スロット挿入部と前記コイル渡り部との境界に、前記導線の高屈曲を回避するための円弧状に湾曲した張出部が形成され、
前記コイル渡り部引き込み工程において、前記コイルに前記コイル渡り部が形成された後、前記スロット挿入部と前記コイル渡り部との境界を前記コイルの外径方向に円弧状に湾曲形成することにより前記張出部を形成する張出部形成工程を備えていることを特徴とする請求項４に記載のコイル成型方法。
【発明の詳細な説明】
【技術分野】
【０００１】
本発明は、コイル成型装置およびコイル成型方法に関するものである。
【背景技術】
【０００２】
インナーロータ型のモータは、円環状のステータの内側に形成された空間にロータ（回転子）が配置され、ロータがステータに対して軸中心に回転可能に構成されたものである。また、ステータコアにおける隣り合うティース部間に形成されるスロット部にはコイルが巻回されるが、コイルの巻回方法としては分布巻や集中巻などが知られている。一般的に、コイルを分布巻で巻回する方が高トルク密度性能を維持し易いため、高トルクが必要なモータにおいては分布巻を採用することが多い。
【０００３】
しかしながら、分布巻は集中巻と異なり、所定距離離れたスロット部間を架け渡すようにコイルが巻回されるため、巻回方法が複雑化し、コイルの巻回作業に時間が掛かり、生産効率が低下していた。また、分布巻は、ステータコアの軸方向端面においてコイル同士が干渉するために渡り部（コイルエンド）が大きくなり、モータを小型化することが困難であった。
【０００４】
そこで、特許文献１では、巻線加工治具により導線を円環状に巻き回してコイルを形成する工程と、コイルを巻線加工治具から取り外し、帯状に配置された複数のステータコア片において隣接するステータコア片の間に形成されるスロット部に挿入する工程と、帯状のステータコア片を円筒状に変形してステータを形成する工程と、を備えたステータの製造方法が提案されている。
【先行技術文献】
【特許文献】
【０００５】
【特許文献１】特開２００９−１４８０２９号公報
【発明の概要】
【発明が解決しようとする課題】
【０００６】
ところで、特許文献１のステータの製造方法では、巻線加工治具（コイル加工治具）として第１巻線加工治具および第２巻線加工治具を使用し、第１巻線加工治具に導線を巻回することにより導線をリング状に巻き回して導線巻回体を形成し、この導線巻回体を第２巻線加工治具にセットして、コイルの渡り部に相当する箇所を両側から治具で挟み込み、当該箇所をプレスすることによりコイル渡り部を所望の形状に成型している。したがって、従来のようにプレスでコイル渡り部を成型する方法では、成型形状が不安定になるとともに、プレスする際に導線の整列が崩れ、必要部位以外の箇所で導線が屈曲したり、導線の被覆が損傷したり、導線の潰れなどが発生したりするという問題がある。つまり、コイルを所望の形状に加工することが困難であるため、生産効率が低下するという問題がある。
【０００７】
そこで、本発明は、上記事情を鑑みてなされたものであり、コイルを所望の形状に成型することができ、生産効率を向上することができるコイル成型装置およびコイル成型方法を提供するものである。
【課題を解決するための手段】
【０００８】
上記の課題を解決するために、請求項１に記載した発明は、ティース部（例えば、実施形態におけるティース４２）およびヨーク部（例えば、実施形態におけるヨーク４６）が形成されたステータコア片（例えば、実施形態におけるコア片４５）が複数連結されて円環状に形成されたステータコア（例えば、実施形態におけるステータコア４１）と、隣接する前記ステータコア片の前記ティース部間に形成されるスロット部（例えば、実施形態におけるスロット４３）を架け渡すように挿入されるコイル（例えば、実施形態におけるコイル２０）と、を備えたステータ（例えば、実施形態におけるステータ２１）と、該ステータの内周側に配され、回転可能に支持されたロータ（例えば、実施形態におけるロータ２２）と、を有するモータ（例えば、実施形態におけるモータ２３）に使用されるコイル成型装置（例えば、実施形態におけるコイル成型装置１０１）であって、前記コイルは、前記ステータコア片が連結されて円環状になった際に、軸中心を指向する前記ティース部の傾斜に沿う角度と略同一の傾斜角度を有し、前記スロット部に挿入される一対のスロット挿入部（例えば、実施形態におけるスロット挿入部５３，５４）と、前記ステータコアの軸方向端面（例えば、実施形態における端面４１ａ）において前記一対のスロット挿入部の端部同士の間を連結する一対のコイル渡り部（例えば、実施形態におけるコイル渡り部５５，５６）と、を備えたリング状に形成され、前記コイル成型装置は、導線（例えば、実施形態における導線５２）を巻き回して形成される導線巻回体（例えば、実施形態における導線巻回体７１）が配置される導線巻回体セット部（例えば、実施形態における導線巻回体セット部１０７）と、前記導線巻回体における前記一対のコイル渡り部に相当する位置を挟持するコイル渡り部挟持部（例えば、実施形態におけるコイル渡り部挟持部１０３）と、該コイル渡り部挟持部と連結され、成型後の前記コイル渡り部の型形状を有するコイル渡り部拘束部（例えば、実施形態におけるコイル渡り部拘束部１０４）と、前記コイル渡り部挟持部と前記コイル渡り部拘束部とを、前記ステータの外周側が内周側よりも下方向にくるようにコイル内径側へ誘導する円弧部（例えば、実施形態における円弧部１０８）が形成されたレール部（例えば、実施形態におけるレール部１０９）と、前記スロット挿入部を挟持するスロット挿入部挟持部（例えば、実施形態におけるスロット挿入部挟持部１１０）と、を有することを特徴としている。
【０００９】
請求項２に記載した発明は、前記スロット挿入部挟持部における前記導線巻回体が当接する面は、凸状（例えば、実施形態における凸部１１８）に形成されていることを特徴としている。
【００１０】
請求項３に記載した発明は、前記コイルは、該コイルにおける前記スロット挿入部と前記コイル渡り部との境界に、前記導線の高屈曲を回避するための円弧状に湾曲した張出部（例えば、実施形態における張出部６１，６２）が形成され、前記コイル成型装置は、前記張出部の形状に対応した湾曲面（例えば、実施形態における湾曲面１２１，１２２）を有する張出部形成部（例えば、実施形態における張出部形成部１１１，１１２）をさらに備え、該張出部形成部は、前記コイル渡り部挟持部および前記コイル渡り部拘束部を前記レール部に沿って移動させて前記コイル渡り部を形成した後に、前記スロット挿入部と前記コイル渡り部との境界に当接して、さらに前記コイルの外径方向にスライドすることにより前記張出部を形成可能に構成されていることを特徴としている。
【００１１】
請求項４に記載した発明は、ティース部およびヨーク部が形成されたステータコア片が複数連結されて円環状に形成されたステータコアと、隣接する前記ステータコア片の前記ティース部間に形成されるスロット部を架け渡すように挿入されるコイルと、を備えたステータと、該ステータの内周側に配され、回転可能に支持されたロータと、を有するモータに使用されるコイル成型方法であって、前記コイルは、前記ステータコア片が連結されて円環状になった際に、軸中心を指向する前記ティース部の傾斜に沿う角度と略同一の傾斜角度を有し、前記スロット部に挿入される一対のスロット挿入部と、前記ステータコアの軸方向端面において前記一対のスロット挿入部の端部同士の間を連結する一対のコイル渡り部と、を備えたリング状に形成され、導線を巻き回して形成される導線巻回体をコイル成型装置に前記ステータの外周側を下にしてセットする導線巻回体セット工程と、前記導線巻回体における前記一対のコイル渡り部に相当する位置を挟持するコイル渡り部挟持工程と、前記挟持したコイル渡り部を内周側へ、前記ステータの内周側から外周側に向かう端面が鉛直状態になるように引き込むコイル渡り部引き込み工程と、を備えていることを特徴としている。
【００１２】
請求項５に記載した発明は、前記コイルは、該コイルにおける前記スロット挿入部と前記コイル渡り部との境界に、前記導線の高屈曲を回避するための円弧状に湾曲した張出部（例えば、実施形態における張出部６１，６２）が形成され、前記コイル渡り部引き込み工程において、前記コイルに前記コイル渡り部が形成された後、前記スロット挿入部と前記コイル渡り部との境界を前記コイルの外径方向に円弧状に湾曲形成することにより前記張出部を形成する張出部形成工程を備えていることを特徴としている。
【発明の効果】
【００１３】
請求項１に記載した発明によれば、巻枠に導線を巻き回して形成された導線巻回体をコイル成型装置の導線巻回体セット部にセットして、導線巻回体のスロット挿入部に相当する位置をスロット挿入部挟持部で挟持し、導線巻回体におけるコイル渡り部に相当する位置をコイル渡り部挟持部で挟持するとともに、該コイル渡り部挟持部およびコイル渡り部拘束部をレール部の円弧部に沿って移動させることによりコイルに所望の形状を有するコイル渡り部を容易に形成することができる。また、導線巻回体をスライド移動させることによりコイル渡り部を形成することができるため、導線の整列崩れの発生や導線の被覆が損傷するのを防止することができる。したがって、コイルを所望の形状に成型することができ、生産効率を向上することができる。
【００１４】
請求項２に記載した発明によれば、スロット挿入部挟持部における導線巻回体が当接する面を凸状に形成したため、導線巻回体にコイル渡り部を成型する際に、導線巻回体のスロット挿入部に相当する位置が引っ張られることにより、導線巻回体に、一対のスロット挿入部同士の間の距離が近づく方向に内径側に反りが生じてしまうのを確実に防止することができる。したがって、コイル成型装置で製造されたコイルの歩留まりを向上することができる。
【００１５】
請求項３に記載した発明によれば、導線の高屈曲を回避する円弧状に湾曲した張出部を、コイル成型装置を用いて容易に形成することができる。また、張出部形成部をスライドさせることにより張出部を形成するため、導線の整列崩れの発生や導線の被覆が損傷するのを防止することができる。したがって、コイルを所望の形状に成型することができ、生産効率を向上することができる。
【００１６】
請求項４に記載した発明によれば、巻枠に導線を巻き回して形成された導線巻回体をコイル成型装置にセットして、導線巻回体のスロット挿入部に相当する位置を挟持し、導線巻回体におけるコイル渡り部に相当する位置を挟持するとともに、挟持したコイル渡り部を内周側へ、ステータの内周側から外周側に向かう端面が鉛直状態になるように引き込むことで、コイル渡り部を容易に形成することができる。このように、導線巻回体を引き込むようにスライド移動させることでコイル渡り部を形成することができるため、導線の整列崩れの発生や導線の被覆が損傷するのを防止することができる。したがって、コイルを所望の形状に成型することができ、生産効率を向上することができる。
【００１７】
請求項５に記載した発明によれば、コイル渡り部が形成された後に、スロット挿入部とコイル渡り部との境界をコイルの外径方向に円弧状に湾曲形成することにより、高屈曲を回避する張出部を容易に形成することができるとともに、導線の整列崩れの発生や導線の被覆が損傷するのを防止することができる。したがって、コイルを所望の形状に成型することができ、生産効率を向上することができる。
【図面の簡単な説明】
【００１８】
【図１】本発明の実施形態におけるモータユニットの概略構成図である。
【図２】本発明の実施形態におけるステータの平面図である。
【図３】本発明の実施形態におけるステータの斜視図である。
【図４】本発明の実施形態におけるステータコアの平面図である。
【図５】本発明の実施形態におけるコア片の平面図である。
【図６】本発明の実施形態におけるコイルの斜視図である。
【図７】図６のＡ−Ａ線に沿う断面図である。
【図８】本発明の実施形態におけるステータの側面図である。
【図９】図８のＢ部拡大図である。
【図１０】本発明の実施形態における巻枠の斜視図である。
【図１１】本発明の実施形態における巻枠の側面図である。
【図１２】図１１のＣ−Ｃ線に沿う断面図である。
【図１３】本発明の実施形態における巻枠に導線を巻回する状態を示す平面図である。
【図１４】本発明の実施形態における導線の巻回途中の状態を示す部分平面図である。
【図１５】本発明の実施形態における導線の巻回状態を示す部分断面図である。
【図１６】本発明の実施形態における導線押え治具を用いて導線を巻回する状態を示す側面図である。
【図１７】本発明の実施形態における導線押え治具を用いて導線を巻回する状態を示す部分側面図である。
【図１８】本発明の実施形態における導線巻回体における導線の配置状態を説明する部分断面図である。
【図１９】本発明の実施形態における導線巻回体の正面図である。
【図２０】本発明の実施形態におけるコイル成型装置の斜視図である。
【図２１】本発明の実施形態におけるコイル成型装置の本体部の斜視図である。
【図２２】本発明の実施形態におけるコイル成型装置の部分斜視図である。
【図２３】本発明の実施形態におけるコイル渡り部挟持部とレール部との関係を示す側面図である。
【図２４】本発明の実施形態における導線巻回体が導線巻回体セット部にセットされた状態を示す断面図である。
【図２５】本発明の実施形態における導線巻回体とコイル渡り部拘束部との関係を示す説明図であり、コイル渡り部形成前の状態を示す図である。
【図２６】本発明の実施形態における導線巻回体とコイル渡り部拘束部との関係を示す説明図であり、コイル渡り部形成後の状態を示す図である。
【図２７】本発明の実施形態における本体部の斜視図であり、張出部形成部のスライド前の状態を示す図である。
【図２８】本発明の実施形態における本体部の斜視図であり、張出部形成部のスライド後の状態を示す図である。
【図２９】本発明の実施形態における本体部に導線巻回体をセットした状態を示す平面図である。
【図３０】本発明の実施形態におけるコイル成型装置を用いてコイルを成型する状態を説明する斜視図である。
【図３１】本発明の実施形態における本体部の別の態様を示す斜視図である。
【図３２】本発明の実施形態におけるコア片の帯状時の斜視図である。
【図３３】本発明の実施形態におけるスロットへのコイルの挿入方法を示す説明図である。
【図３４】本発明の実施形態におけるコイルをコア片に取り付ける方法を示す説明図である。
【図３５】本発明の実施形態におけるステータの概略平面図である。
【図３６】本発明の実施形態におけるコイルをコア片に取り付ける途中の状態を示す説明図である。
【図３７】本発明の実施形態におけるコア片の別の態様を示す部分平面図（１）である。
【図３８】本発明の実施形態におけるコア片の別の態様を示す部分平面図（２）である。
【図３９】本発明の実施形態におけるコア片の別の態様を示す部分平面図（３）である。
【発明を実施するための形態】
【００１９】
次に、本発明の実施形態を図１〜図３９に基づいて説明する。なお、本実施形態では車両用モータユニットに採用したモータについて説明する。なお、本実施形態において、軸方向は出力軸の回転軸中心方向を示し、径方向はステータ２１およびロータ２２の径方向を示し、周方向はステータ２１およびロータ２２の周方向を示す。
【００２０】
図１は車両用モータユニットの概略構成断面図である。図１に示すように、車両用モータユニット（以下、モータユニットという。）１０は、コイル２０が巻回された円環状のステータ２１および永久磁石２５が配されたロータ２２を備えたモータ２３を有している。また、モータユニット１０は、モータ２３を収容するモータハウジング１１と、モータハウジング１１の一方側に締結され、モータ２３の出力軸２４からの動力を伝達する動力伝達部（不図示）を収容するミッションハウジング１２と、モータハウジング１１の他方側に締結され、モータ２３の回転センサ２５を収容するセンサハウジング１３と、を備えている。なお、モータハウジング１１の内部はモータ室３６として、ミッションハウジング１２の内部はミッション室３７として、センサハウジング１３の内部はセンサ室３８として、それぞれ構成されている。
【００２１】
モータハウジング１１は、モータ２３全体を覆うような略円筒形状で形成されている。モータハウジング１１とミッションハウジング１２との境界部のミッションハウジング１２側には、モータ２３の出力軸２４の一端を回転自在に支持するベアリング２６が設けられ、モータハウジング１１とセンサハウジング１３との境界部のセンサハウジング１３側には、モータ２３の出力軸２４の他端を回転自在に支持するベアリング２７が設けられている。
【００２２】
また、モータハウジング１１の壁部３１、ミッションハウジング１２の壁部３２およびセンサハウジング１３の壁部３３には、互いに連通するブリーザ通路３５がそれぞれ形成されている。
【００２３】
さらに、モータハウジング１１の壁部３１内には、モータ２３を冷却するためのウォータジャケット４０がモータ２３のステータ２１を全周覆うように設けられている。また、ステータ２１は、モータハウジング１１に圧入されており、モータハウジング１１の内周面に密着するように配されている。
【００２４】
図２はステータ２１の平面図であり、図３はステータ２１の斜視図である。図２、図３に示すように、ステータ２１は、円環状に構成されたステータコア４１と、ステータコア４１の隣り合うティース４２，４２間に形成されたスロット４３に配されたコイル２０と、で構成されている。ステータ２１の円環状の中心に形成された空間には、ロータ２２が軸中心に回転可能に配置されている。
【００２５】
図４はステータコア４１の平面図である。図４に示すように、ステータコア４１は、複数のコア片４５が円環状に連結されて構成されている。ステータコア４１は、円環状の外周を構成するヨーク４６と、ヨーク４６から円環状の中心に指向して突出されたティース４２と、を備えている。また、隣り合うティース４２，４２の間には、スロット４３が形成されている。そして、スロット４３にコイル２０を配置することで、上記のようにステータ２１が構成される。
【００２６】
図５コア片４５の平面図である。図５に示すように、コア片４５は、ヨーク４６およびティース４２が形成された平板鋼板４７を積層して構成されている。このコア片４５を構成する平板鋼板４７は、プレス成型により容易に製造することができる。一つのコア片４５には、一つのティース４２が形成されている。つまり、ティース４２毎にコア片４５は分割されている。
【００２７】
ヨーク４６の周方向両側面（外周部と内周部との間の両側部）における一方の側面４８に凹部４９が形成され、他方の側面５０に凹部４９と嵌合する凸部５１が形成されている。凹部４９と凸部５１は、隣接するコア片４５が帯状のときは離反しており、コア片４５が帯状から円環状に変形したときに嵌合するように構成されている。
【００２８】
次に、コイル２０の形状について詳細に説明する。
図６はコイル２０の斜視図であり、図７は図６のＡ−Ａ線に沿う断面図であり、図８はステータ２１の側面図である。
【００２９】
図６〜図８に示すように、コイル２０は、導線５２が複数回巻き回されてリング状に形成されている。図６では導線５２の両端の図示が省略されているが、導線５２の両端は一方が中性点バスリング（不図示）に接続され、他方が３相配電バスリング（不図示）に接続されるように構成されている。
【００３０】
コイル２０は、コア片４５が連結されて円環状になった際に、軸中心を指向するティース４２の傾斜に沿う角度と略同一の傾斜角度を有する一対のスロット挿入部５３，５４と、ステータコア４１の軸方向端面４１ａにおいて一対のスロット挿入部５３，５４の端部同士の間を連結する一対のコイル渡り部５５，５６と、を備えている。一対のスロット挿入部５３，５４は、４つのスロット４３を空けたスロット４３内に配されている。つまり、コイル渡り部５５，５６の周方向の長さは４つのスロット４３を空けて一対のスロット挿入部５３，５４が配される周方向長さを有している。
【００３１】
また、コイル渡り部５５，５６は、スロット挿入部５３，５４がスロット４３から突出した後、ヨーク４６の軸方向端面に沿うように径方向外側に湾曲形成されるとともに、一方端部から他方端部へ向かって軸方向高さが傾斜するスロープ部５７，５８がそれぞれ形成されている。つまり、コイル渡り部５５，５６は、軸方向から見て略Ｃ字状に形成されている。また、コイル渡り部５５，５６は、隣接する異相のコイル２０（コイル渡り部５５，５６）との干渉を回避するようにスロープ部５７，５８が形成されている。例えば、本実施形態では、一方のスロット挿入部５３側のコイル渡り部５５，５６の軸方向高さが一番高く、他方のスロット挿入部５４側のコイル渡り部５５，５６の軸方向高さが一番低くなるようにスロープ部５７，５８がそれぞれ形成されている。
【００３２】
なお、スロープ部５７，５８の傾斜角度Ａ°は略同一の角度で形成されており、図９に示すように、コイル２０のスロット挿入部５３，５４間の基準ピッチをｐとし、コイル渡り部５５，５６の最大高さをＨとし、コイル渡り部５５，５６の最小高さをｈとすると、
【００３３】
【数１】
2011229291.tif 000003
【００３４】
となる。つまり、ステータコア４１の大きさやコイル２０の導線５２の巻数などにより基準ピッチｐ、最大高さＨおよび最小高さｈを設定することにより、スロープ部５７，５８の傾斜角度Ａ°を算出することができる。
【００３５】
ここで、複数のコア片４５を円環状に連結してステータコア４１を構成したときに形成されるスロット４３は全て軸中心を指向するように形成されている。一対のスロット挿入部５３，５４は、ステータコア４１を構成したときにスロット４３が軸中心を指向する方向と略一致するように一方のスロット挿入部５３に対して他方のスロット挿入部５４が傾斜するように形成されている。つまり、スロット挿入部５３，５４は、スロット４３と略同一の方向（軸中心）を指向するように予め形成されている。
【００３６】
また、図２、図３にも示すように、隣り合うコイル２０同士は、コイル渡り部５５，５６において交差しなければならず、かつ、スロット挿入部５３，５４とコイル渡り部５５，５６は略同一の断面形状のまま各所で折曲させる必要があるため、一方のスロット挿入部５３とコイル渡り部５５，５６との境界部において、張出部５９，６０が形成されている。張出部５９，６０は、スロット挿入部５３の端部からスロット挿入部５４から遠ざかる方向に折曲し、交差するコイル２０との干渉を回避可能な大きさの円弧を描くように湾曲してコイル渡り部５５，５６に繋がるように形成されている。
【００３７】
さらに、スロット挿入部５３，５４とコイル渡り部５５，５６は略同一の断面形状のまま各所で折曲させる必要があるため、他方のスロット挿入部５４とコイル渡り部５５，５６との境界部において、張出部６１，６２が形成されている。張出部６１，６２は、スロット挿入部５４の端部からスロット挿入部５３から遠ざかる方向に折曲し、高屈曲を避ける大きさの円弧を描くように湾曲してコイル渡り部５５，５６に繋がるように形成されている。つまり、スロット挿入部５４側のコイル渡り部５５，５６の軸方向高さは一番低く、スロット挿入部５４とコイル渡り部５５，５６との距離が近接しているため、導線５２を高屈曲させるのを避けるために張出部６１，６２が形成されている。
【００３８】
次に、上述したコイル２０を製造する方法について説明する。
本実施形態では、まず導線５２を巻枠７０に巻き回すことにより、導線巻回体７１（図１９参照）を作製し、該導線巻回体７１をコイル成型装置１０１により成型することでコイル２０を製造する。
【００３９】
図１０が巻枠７０の斜視図であり、図１１が巻枠７０の側面図であり、図１２が巻枠７０のカバー部材７２を取り外した状態の正面図である。
【００４０】
図１０〜図１２に示すように、巻枠７０は、導線５２が巻き回される導線巻回部７３と、該導線巻回部７３の両側に配される着脱可能なカバー部材７２および支持部材７４と、を備えている。
【００４１】
導線巻回部７３は、導線５２の被覆を傷つけないために例えば樹脂で形成された部材である。導線巻回部７３の両端面はそれぞれカバー部材７２および支持部材７４に当接している。つまり、導線巻回部７３は、カバー部材７２および支持部材７４に挟持されている。また、導線巻回部７３の厚さは、コイル２０の厚さ（径方向の長さ）と略同一の大きさで構成されている。さらに、導線巻回部７３の周面は、導線５２が巻回される導線巻回面７５として構成されている。導線巻回面７５は断面略長方形状になっており、短辺側が一対のコイル渡り部形成面７６，７７として構成され、長辺側が一対のスロット挿入部形成面７８，７９として構成されている。また、導線巻回面７５の四隅はそれぞれ曲面部８２，８３，８４，８５が形成されており、導線５２の被覆が損傷しないように構成されている。
【００４２】
コイル渡り部形成面７６，７７は、カバー部材７２が配される側から支持部材７４が配される側に向かって、対向するコイル渡り部形成面７６，７７同士の距離が遠ざかる方向にそれぞれ傾斜している。また、コイル渡り部形成面７６，７７は、コイル２０のコイル渡り部５５，５６に形成されるスロープ部５７，５８の傾斜角度Ａ°と略同一の角度を有する傾斜面が形成されている。
【００４３】
スロット挿入部形成面７８，７９は、カバー部材７２が配される側から支持部材７４が配される側に向かって、対向するスロット挿入部形成面７８，７９同士の距離が遠ざかる方向にそれぞれ傾斜している。このスロット挿入部形成面７８，７９の傾斜角度は、コイル２０のスロット挿入部５３，５４に形成される傾斜角度、つまり、軸中心を指向するティース４２の傾斜に沿う角度と略同一の傾斜角度で形成されている。
【００４４】
カバー部材７２は、例えば樹脂で形成され、正面視で導線巻回部７３よりも大きい平面形状を有する略板状部材である。つまり、カバー部材７２と導線巻回部７３との境界には段差が形成されており、導線巻回部７３に巻き回される導線５２が該段差において支持されるように構成されている。また、カバー部材７２には導線５２を巻き回す際に導線５２の一端を支持する溝部８０が形成されている。
【００４５】
図１３に示すように、溝部８０は、導線巻回部７３の一方のコイル渡り部形成面７６に対向する位置に形成されている。また、溝部８０は、導線５２が導線巻回部７３における導線５２の巻回方向に対して斜め方向から挿入されるように、カバー部材７２の周面を外側面から導電巻回部７３が配される内側面に向かって斜めに横切るように傾斜している。さらに、溝部８０における内側面の端部８０ａは、導線巻回部７３のコイル渡り部形成面７６とスロット挿入部形成面７８との境界の曲面部８２よりも若干コイル渡り部形成面７６側の位置に形成されている。そして、カバー部材７２の外側面には、導線５２の一端を固定する固定部８１（図１０参照）が形成されている。なお、カバー部材７２は導線巻回部７３に対して着脱可能に構成されている。
【００４６】
支持部材７４は、例えば樹脂で形成され、正面視で導線巻回部７３よりも大きい平面形状を有する略板状部材である。つまり、支持部材７４と導線巻回部７３との間には段差が形成されており、導線巻回部７３に巻き回される導線５２が該段差において支持されるように構成されている。
【００４７】
上述した巻枠７０を用いて、導線巻回体７１を製造する方法を説明する。
まず、導線５２の一端を固定部８１に固定するとともに、導線５２を溝部８０に挿入し、導線５２を支持固定する。
【００４８】
続いて、図１３に示すように、導線５２を導線巻回部７３の周面に巻き回していく。具体的には、巻枠７０を回転軸６９に取り付け、回転軸６９を回転することにより、導線５２を導線巻回部７３の周面に巻きつけていく。このとき、溝部８０の端部が曲面部８２よりも若干コイル渡り部形成面７６側の位置に形成されているため、導線５２を巻回していく際に、導線５２がずれにくくなる。まずは、導線巻回部７３の周面上に隣り合う導線５２，５２が密着するようにカバー部材７２側から支持部材７４側に向かって傾斜面を駆け上げるように巻回していく。
【００４９】
導線５２が導線巻回部７３と支持部材７４との境界まで巻回されたら、導線５２をこれまで巻回した導線層（内周側導線層９１）の上にこれまでとは逆方向の支持部材７４側からカバー部材７２側に向かって導線５２を巻回する。このとき、図１４に示すように、下層の内周側導線層９１と上層の外周側導線層９２との間で導線５２が交差する導線移行部８６が形成されるが、溝部８０の位置を上述した位置に形成していることにより、コイル渡り部形成面７６上において導線５２が交差する。
【００５０】
そして、図１５に示すように、導線５２が導線巻回部７３とカバー部材７２との境界まで巻回したら、再度折り返し、導線５２が所望の巻数になるまで、導線５２の巻回を継続し、導線巻回体７１を製造する。
【００５１】
ここで、導線５２を導線巻回部７３に巻き回す際に、導線５２の位置ズレを防止するために、図１６に示すような導線押え治具８８を用いてもよい。導線押え治具８８は、導線５２に当接するローラ部８９と、該ローラ部８９を回転可能に支持する支持部９０と、を備えており、本実施形態ではこの導線押え治具８８を２個用いている。なお、図１６ではカバー部材７２の図示を省略している。図１７に示すように、２つの導線押え治具８８は、導線移行部８６が形成されるコイル渡り部形成面７６において、該コイル渡り部形成面７６に配される導線５２の両端をローラ部８９，８９でそれぞれ押えながら導線５２を巻回することができ、導線５２を所望の位置に確実に保持しながら導線巻回体７１を製造することができる。
【００５２】
また、導線５２を導線巻回部７３に巻き回す際には、巻枠７０を回転させながら導線５２を巻回していく。その際に、導線押え治具８８のローラ部８９は、導線５２が導線巻回部７３の所望の位置に配されるように導線５２を導線巻回面７５に押し付けるように作用する。また、ローラ部８９の表面は、導線巻回面７５の傾斜角度と略同一の傾斜角度を有している。なお、支持部９０は巻枠７０に対して当接離間する方向に移動可能に構成されている。このような導線押え治具８８を用いることにより、導線５２の整列崩れをより確実に防止することができる。
【００５３】
なお、図１８に示すように、外周側導線層９２の１本の導線５２Ａは、内周側導線層９１の２本の導線５２Ｂ，５２Ｃと接触するように配される。このとき、導線５２Ａと導線５２Ｂとの接点Ｄと、導線５２Ａと導線５２Ｃとの接点Ｅとの間に、導線５２を巻回する際に生じるフォースベクトルＦ（導線５２Ａにかかる張力のベクトル方向）が存在すると、導線５２を巻回する際に導線５２がずれにくくなる。導線５２が断面円形の場合には、巻枠７０の導線巻回部７３に形成される傾斜角度が３０°以内であれば、フォースベクトルＦが上記条件を満たすこととなる。
【００５４】
導線５２を所望の巻数まで巻回し導線巻回体７１が製造されたら、導線５２の他端を切断する。そして、導線５２の一端を固定部８１から外し、カバー部材７２を導線巻回部７３から取り外した後、導線巻回部７３から導線巻回体７１を取り出すことができる。図１９に示すように、導線巻回体７１はコイル渡り部５５の両端に導線５２の一端５２ａと他端５２ｂが位置するように形成される。
【００５５】
このようにして形成された導線巻回部７１をコイル成型装置１０１により成型して、コイル２０を製造する方法について説明する。
【００５６】
図２０はコイル成型装置１０１の斜視図である。図２０に示すように、コイル成型装置１０１は、巻線巻回体７１を載置する本体部１０２と、本体部１０２のコイル渡り部挟持部１０３およびコイル渡り部拘束部１０４を押圧可能な押圧部１０５を備えた可動部１０６と、を備えている。
【００５７】
図２１〜図２３に示すように、本体部１０２は、導線巻回体７１が配置される導線巻回体セット部１０７と、導線巻回体７１における一対のコイル渡り部５５，５６に相当する位置を挟持するコイル渡り部挟持部１０３と、コイル渡り部挟持部１０３と連結され、成型後のコイル渡り部５５，５６の型形状を有するコイル渡り部拘束部１０４と、コイル渡り部挟持部１０３およびコイル渡り部拘束部１０４を、コイル２０をステータコア４１に取り付けた状態における外周側が内周側よりも下方向にくるように、かつ、コイル内径側へ誘導する円弧部１０８が形成されたレール部１０９と、スロット挿入部５３，５４を挟持するスロット挿入部挟持部１１０と、を有している。また、コイル２０の張出部６１，６２の形状に対応した湾曲面をそれぞれ有する張出部形成部１１１，１１２をさらに備えている。
【００５８】
図２１、図２４に示すように、導線巻回体セット部１０７は、導線巻回体７１におけるスロット挿入部５３，５４が当接載置される一対の傾斜面１１４，１１５と、コイル渡り部５５，５６を支持可能な支持部１１６，１１７と、が形成されている。また、傾斜面１１４，１１５は、導線巻回体７１のスロット挿入部５３，５４と略同一の傾斜角度の傾斜面で形成されている。さらに、傾斜面１１４，１１５には、導線５２の架設方向に沿う方向の略中央部に凸部１１８が形成されている。
【００５９】
そして、導線巻回体７１のスロット挿入部５３，５４が配される傾斜面１１４，１１５を覆うとともに、スロット挿入部５３，５４を支持固定可能なスロット挿入部挟持部１１０が着脱自在に取り付け可能に構成されている。
【００６０】
また、図２４に示すように、導線巻回体セット部１０７に導線巻回体７１をセットして、スロット挿入部挟持部１１０を導線巻回体セット部１０７にセットすると、スロット挿入部５３，５４の内周面と外径側端面は導線巻回体セット部１０７に支持され、スロット挿入部５３，５４の外周面と内径側端面はスロット挿入部挟持部１１０に支持される。つまり、導線巻回体７１におけるスロット挿入部５３，５４は周囲４面とも拘束されるように構成されている。
【００６１】
また、図２２、図２３に戻り、導線巻回体セット部１０７におけるコイル渡り部５５，５６が配される側には、コイル渡り部挟持部１０３およびコイル渡り部拘束部１０４をスライドさせる円弧部１０８が形成されたレール部１０９が配されている。円弧部１０８は、上方から下方に向かうにしたがって導線巻回体セット部１０７に近づく円弧形状に形成されている。つまり、コイル渡り部挟持部１０３およびコイル渡り部拘束部１０４に挟持された導線巻回体７１のコイル渡り部５５，５６は、コイル渡り部挟持部１０３およびコイル渡り部拘束部１０４がレール部１０９を下方に進むことにより、コイル渡り部５５，５６の内周側から外周側に向かう端面が鉛直状態（図２３の状態）になるように、かつ、コイル渡り部５５，５６の互いの距離が近づく方向に変形するように構成されている。
【００６２】
また、図２５、図２６に示すように、コイル渡り部拘束部１０４における導線巻回体７１と当接する面には、コイル２０のコイル渡り部５５，５６における内径側の形状と略同一の拘束面１１９が形成されている。導線巻回体７１に拘束面１１９を当接させた後に、コイル渡り部挟持部１０３およびコイル渡り部拘束部１０４をレール部１０９に沿って移動させることにより、導線巻回体７１にコイル渡り部５５，５６を形成することができる。
【００６３】
さらに、図２７、図２８に示すように、張出部形成部１１１，１１２は、導線巻回体セット部１０７におけるレール部１０９に対向する側面１２３，１２４にそれぞれ設けられている。張出部形成部１１１，１１２には、コイル２０の張出部６１，６２の形状に対応した湾曲面１２１，１２２がそれぞれ形成されている。この張出部形成部１１１，１１２は、側面１２３，１２４に沿って略水平方向にスライド移動可能に取り付けられており、湾曲面１２１，１２２が導線巻回体７１のコイル渡り部５５，５６とスロット挿入部５４との境界に当接可能に構成されており、張出部形成部１１１，１１２をさらに水平方向へ移動させることにより、湾曲面１２１，１２２の形状に対応した張出部６１，６２を導線巻回体７１に形成することができるように構成されている。
【００６４】
また、図２０に戻り、本体部１０２の下面には板状の基板１２５が設けられており、該基板１２５から２本の支柱１２６，１２７が立設されている。略板状の可動部１０６には２つの貫通孔１２８，１２９が形成されており、該貫通孔１２８，１２９が支柱１２６，１２７に挿通可能に構成され、支柱１２６，１２７に沿って可動部１０６は上下方向に移動可能に構成されている。さらに、可動部１０６の下面には一対の押圧部１０５，１０５が設けられており、可動部１０６を下方に移動させると、押圧部１０５の先端がそれぞれコイル渡り部拘束部１０４に当接し、押圧部１０５をさらに下方へ押下げることにより、コイル渡り部拘束部１０４およびコイル渡り部挟持部１０３をレール部１０９に沿って下方へ移動させることができるように構成されている。なお、可動部１０６と押圧部１０５との間にはスライドレール１３０が設けられており、押圧部１０５の位置調整を行うことができるようになっている。
【００６５】
図２９に示すように、上述のように構成されたコイル成型装置１０１の導線巻回体セット部１０７に導線巻回体７１をセットする。このとき、導線巻回体７１におけるコイル渡り部５５，５６に相当する箇所は、コイル渡り部挟持部１０３およびコイル渡り部拘束部１０４にて挟持されている。また、導線巻回体７１のスロット挿入部５３，５４に相当する箇所は、傾斜面１１４，１１５に配されており、導線巻回体７１を覆うようにスロット挿入部挟持部１１０を取り付けて、導線巻回体７１の周面を拘束する。
【００６６】
導線巻回体７１がコイル成型装置１０１にセットされたら、押圧部１０５がコイル渡り部拘束部１０４に当接する位置まで可動部１０６を下降させる。本実施形態では、押圧部１０５の先端が凹状に形成されており、コイル渡り部拘束部１０４の上面に配された丸棒と嵌合可能に構成されている。スライドレール１３０を用いて押圧部１０５の位置を調整し、押圧部１０５を丸棒に嵌合させる。
【００６７】
その後、図３０に示すように、さらに可動部１０６を下降させると、押圧部１０５がコイル渡り部拘束部１０４およびコイル渡り部挟持部１０３を下方へ押し下げる。このときコイル渡り部拘束部１０４はレール部１０９上に配されているため、コイル渡り部拘束部１０４はレール部１０９に沿って移動する。コイル渡り部拘束部１０４にはコイル渡り部５５，５６に対応した形状の拘束面１１９が形成されているため、導線巻回体７１が拘束面１１９に押されることにより、導線巻回体７１にコイル渡り部５５，５６が形成される。このとき、傾斜面１１４，１１５に凸部１１８が形成されているため、コイル渡り部５５，５６を形成する際に、スロット挿入部５３，５４に相当する導線５２が引っ張られて互いのスロット挿入部５３，５４間の距離が近づく内側方向に反りが生じるのを防止することができる。
【００６８】
導線巻回体７１にコイル渡り部５５，５６が形成された後、張出部形成部１１１，１１２をスロット挿入部５４とコイル渡り部５５，５６との境界に向かってスライドさせ、張出部形成部１１１，１１２の湾曲面１２１，１２２がそれぞれ導線巻回体７１に当接させる。さらに、その後張出部形成部１１１，１１２をスライドさせることによりスロット挿入部５４とコイル渡り部５５，５６との境界にそれぞれ張出部６１，６２を形成することができる。なお、コイル渡り部拘束部１０４およびコイル渡り部挟持部１０３をレール部１０９に沿って移動させて導線巻回体７１にコイル渡り部５５，５６を形成するのと同時に、張出部形成部１１１，１１２をスライドさせて張出部６１，６２を形成するように構成してもよい。
【００６９】
そして、コイル成型装置１０１から取り出せば、コイル２０の製造が完了する。このようにして形成されたコイル２０は、帯状に並べられた複数のコア片４５のスロット４３を架け渡すように配置し、その後、コア片４５を円環状に変形してステータ２１を製造する際に、隣り合うコイル同士で干渉することがなく、かつ、コア片４５の変形時にコイル２０の形状が略変化することがない。
【００７０】
なお、図３１に示すように、導線巻回体７１におけるスロット挿入部５３が形成される側のスロット挿入部挟持部１１０の両側には、略板状のオフセット形成部１３１を設けてもよい。このオフセット形成部１３１は、導線巻回体７１が配された状態で、下方へ押下げることによりスロット挿入部５３の両端にオフセット部（不図示）を形成することができる。
【００７１】
次に、コア片４５およびコイル２０を用いてステータ２１を形成する手順を説明する。
図３２はコア片４５の帯状時の斜視図である。図３２に示すように、複数の平板鋼板４７を積層・接合して所望の厚みを有したコア片４５を複数形成する。そして、コア片４５を同じ向きに帯状に並べる。
【００７２】
コア片４５を全て帯状に配置した後、スロット４３にコイル２０を配置する。なお、コイル２０の周面は絶縁紙（不図示）で覆われている。
具体的には、まずリング状のコイル２０を複数形成する。このとき、コイル２０を構成する導線５２の両端部はリングから延出させて、中性点バスリングや３相配電バスリング（ともに不図示）に接続できるようにしておく。なお、本実施形態では、２４個のコイル２０を製造しておく。
【００７３】
そして、帯状のコア片４５を円環状にしていくと、隣り合うコア片４５，４５の間に形成されるスロット４３の入口の幅が徐々に小さくなるとともに、スロット４３の面積が徐々に小さくなる。すると、隣り合うスロット４３，４３の距離が徐々に近づく。そのため、まずコイル２０の一方のスロット挿入部５３を所望のスロット４３内に挿入した後、コア片４５を円環状にしていくと、ある時点で他方のスロット挿入部５４が所望のスロット４３内に挿入される。このようにしてスロット４３にコイル２０を順次配置していく。
【００７４】
図３３は、コイル２０のスロット４３への挿入状態を示す説明図である。図３３に示すように、コイル２０は、三相のＵ相、Ｖ相、Ｗ相のいずれかを構成している。本実施形態においては、コア片４５を４８個用いてステータコア４１を構成している。つまり、スロット４３が４８箇所形成される。ここで、Ｕ相を構成するコイル２０Ｕは、リング状のコイル２０を８個（リングＵ１〜Ｕ８）用いて構成されている。同じく、Ｖ相を構成するコイル２０Ｖは、リングＶ１〜Ｖ８を用いて構成され、Ｗ相を構成するコイル２０ＷはリングＷ１〜Ｗ８を用いて構成されている。なお、これらのリングは所定間隔置いた２つのスロット４３，４３に挿入できる大きさで形成されている。そして、コイル２０を製造した後に、コイル２０をスロット４３に挿入する。
【００７５】
具体的には、Ｕ相のコイル２０Ｕは、スロット番号１とスロット番号６のスロット４３にリングＵ１を挿入し、スロット番号７とスロット番号１２のスロット４３にリングＵ２を挿入し、同様に繰り返し、スロット番号４３とスロット番号４８のスロット４３にリングＵ８を挿入する。また、Ｖ相のコイル２０Ｖは、スロット番号４５とスロット番号２のスロット４３にリングＶ１を挿入し、スロット番号３とスロット番号８のスロット４３にリングＶ２を挿入し、同様に、スロット番号３９とスロット番号４４のスロット４３にリングＶ８を挿入する。さらに、Ｗ相のコイル２０Ｗは、スロット番号４７とスロット番号４のスロット４３にリングＷ１を挿入し、スロット番号５とスロット番号１０のスロット４３にリングＷ２を挿入し、同様に、スロット番号４１とスロット番号４６のスロット４３にリングＷ８を挿入する。
【００７６】
次に、スロット４３にコイル２０を挿入する手順を説明する。なお、以下の説明ではスロット４３に関しては、スロット番号のみを用いて説明する。
【００７７】
図３４はコイル２０の配置方法を示す斜視図であり、図３５はコア片４５の円環状時の概略正面図である。なお、本実施形態では円環化前の帯状のコア片４５に対してコイル２０を挿入するが、ここでは円環化後のコア片４５を示す図３５を参照しつつ説明する。
【００７８】
図３３〜図３５に示すように、Ｖ相を構成するコイル２０ＶのリングＶ１をスロット番号２に挿入する。このとき、リングＶ１の他方側（図３３のＡ部）は、コア片４５がまだ帯状であるためスロット番号４５には挿入されない。次に、Ｗ相を構成するコイル２０ＷのリングＷ１をスロット番号４に挿入する。このとき、リングＷ１の他方側（図３３のＢ部）は、リングＶ１と同様にスロット番号４７には挿入されない。
【００７９】
続いて、Ｕ相を構成する２０ＵのリングＵ１をスロット番号１に挿入する。スロット番号１には、コイル２０Ｕのコイル挿入部５３を挿入する。このとき、コア片４５が帯状の場合は、コイル２０Ｕのコイル挿入部５４はスロット番号６に挿入することができない。そこで、コア片４５を帯状から円環状に変形させることにより、スロット番号１とスロット番号６との距離が近づき、スロット同士の距離が所定距離まで近づいた時点で、スロット番号６にコイル２０のコイル挿入部５４を挿入することができる。これでリングＵ１の挿入が完了する。なお、一対のスロット挿入部５３，５４は、ステータコア４１を構成したときにスロット４３が軸中心を指向する方向と略一致するように一方のスロット挿入部５３に対して他方のスロット挿入部５４が傾斜するように形成されているため、スロット同士の距離が所定距離まで近づいた時点で、スロット番号６にコイル２０のコイル挿入部５４が挿入される。また、コイル渡り部５５，５６はヨーク４６の軸方向端面に沿うように配される。
【００８０】
続いて、Ｖ相を構成する２０ＶのリングＶ２をスロット番号３に挿入する。スロット番号３には、コイル２０Ｖのコイル挿入部５３を挿入する。ここで、スロット番号６にリングＵ１を構成するコイル２０Ｕのコイル挿入部５４が挿入された状態（当該部分が円環状になっている状態）では、スロット番号３のスロット入口が狭くなっているため、リングＶ２が挿入できない。そのため、スロット番号３付近のコア片４５を一旦帯状に戻して、スロット番号３にコイル２０のコイル挿入部５３を挿入する。そして、上記リングＵ１の場合と同様に、コア片４５を再度帯状から円環状に変形させることにより、スロット番号３とスロット番号８との距離が近づき、スロット同士の距離が所定距離まで近づいた時点でスロット番号８にコイル２０のコイル挿入部５４が挿入される。これでリングＶ２の挿入が完了する。なお、コイル渡り部５５，５６はスロープ部５７，５８が形成されているため、隣り合う異相のコイル２０とは干渉せずに配することができる（図８参照）。
【００８１】
続いて、Ｗ相を構成する２０ＷのリングＷ２をスロット番号５に挿入する。スロット番号５には、コイル２０Ｗのコイル挿入部５３を挿入する。ここで、スロット番号８にリングＶ２を構成するコイル２０のコイル挿入部５４が挿入された状態では、スロット番号５のスロット入口が狭くなっているため、リングＷ２が挿入できない。そのため、スロット番号５付近のコア片４５を一旦帯状に戻して、スロット番号５にコイル２０のコイル挿入部５３を挿入する。そして、上記リングＵ１の場合と同様に、コア片４５を再度帯状から円環状に変形させることにより、スロット番号５とスロット番号１０との距離が近づき、スロット同士の距離が所定距離まで近づいた時点でスロット番号１０にコイル２０のコイル挿入部５４が挿入される。これでリングＷ２の挿入が完了する。
【００８２】
Ｗ相のコイル２０ＷのリングＷ２をスロット番号５とスロット番号１０を掛け渡すように挿入した後は上記工程を繰り返し、リングＵ２→Ｖ３→Ｗ３→Ｕ３→Ｖ４→…→Ｖ８→Ｗ８→Ｕ８をそれぞれスロット４３内に挿入する。このようにコイル２０をスロット４３内に挿入すると、コイル２０Ｕ，２０Ｖ，２０Ｗはステータコア４１の軸方向両端面４１ａから突出したコイル渡り部５５，５６が、軸方向から見て互いに交差するようにしながら配置される。なお、図３６は、円環化装置６５を用いてコア片４５にコイル２０を取り付けていく途中の状態を示している。
【００８３】
そして、リングＶ１のＡ部およびリングＷ１のＢ部以外のコイル２０をスロット４３に挿入し、最後にＡ部、Ｂ部を専用治具などを用いてスロット４３内に挿入することで、ステータ２１が完成する。その後、ステータ２１をモータハウジング１１内に取り付け、スロット４３に挿入された各コイル２０Ｕ，２０Ｖ，２０Ｗに緩みがないように導線５２を調整した後、各コイル２０Ｕ，２０Ｖ，２０Ｗの両端部から延出している導線５２をＵ相、Ｖ相およびＷ相の３相配電バスリングおよび中性点バスリング（不図示）に接続することで、モータユニット１０へのステータ２１の取り付けが完了する。
【００８４】
本実施形態によれば、巻枠７０に導線５２を巻き回して形成された導線巻回体７１をコイル成型装置１０１の導線巻回体セット部１０７にセットして、導線巻回体７１のスロット挿入部５３，５４に相当する位置をスロット挿入部挟持部１１０で挟持し、導線巻回体７１におけるコイル渡り部５５，５６に相当する位置をコイル渡り部挟持部１０３で挟持するとともに、該コイル渡り部挟持部１０３およびコイル渡り部拘束部１０４をレール部１０９の円弧部１０８に沿って移動させることによりコイル２０に所望の形状を有するコイル渡り部５５，５６を容易に形成することができる。また、導線巻回体７１をスライド移動させることによりコイル渡り部５５，５６を形成することができるため、導線５２の整列崩れの発生や導線５２の被覆が損傷するのを防止することができる。したがって、コイル２０を所望の形状に成型することができ、生産効率を向上することができる。
【００８５】
また、スロット挿入部挟持部１１０における導線巻回体７１が当接する面を凸状に形成したため、導線巻回体７１にコイル渡り部５５，５６を成型する際に、導線巻回体７１のスロット挿入部５３，５４に相当する位置が引っ張られることにより、導線巻回体７１に、一対のスロット挿入部５３，５４同士の間の距離が近づく方向に内径側に反りが生じてしまうのを確実に防止することができる。したがって、コイル成型装置１０１で製造されたコイル２０の歩留まりを向上することができる。
【００８６】
また、導線５２の高屈曲を回避する円弧状に湾曲した張出部６１，６２を、コイル成型装置１０１を用いて容易に形成することができる。また、張出部形成部１１１，１１２をスライドさせることにより張出部６１，６２を形成するため、導線５２の整列崩れの発生や導線５２の被覆が損傷するのを防止することができる。したがって、コイル２０を所望の形状に成型することができ、生産効率を向上することができる。
【００８７】
また、本実施形態のコイル２０は、コイル渡り部５５，５６の高さを低く抑えることができるため、導線５２の全長を短くすることができる。このように導線５２の全長が短くなったコイル２０を分布巻でステータコア４１に取り付けることで、高トルク密度性能を維持することができ、高性能のモータ２３のステータ２１を製造することができる。
【００８８】
また、予め導線５２を巻回してスロット４３に対応した大きさの円環状のコイル２０を形成したため、リング状に形成されたコイル２０をスロット４３に挿入するだけで、コイル２０を取り付けることができる。したがって、コア片４５を準備してから巻線機などを用いて導線５２をスロット４３に巻き付けながらコイルを形成する場合よりも生産効率を向上することができる。
【００８９】
さらに、モータ２３の回転磁界を形成するＵ相、Ｖ相、Ｗ相を構成するコイル２０（２０Ｕ，２０Ｖ，２０Ｗ）を、全て同一形状で形成したため、Ｕ相、Ｖ相、Ｗ相からなる三相モータを製造するにあたって、各相に対応したコイル２０（２０Ｕ，２０Ｖ，２０Ｗ）を同じ工程で製造することができる。したがって、生産効率を向上することができる。
【００９０】
尚、本発明の技術範囲は上述した実施形態に限られるものではなく、本発明の趣旨を逸脱しない範囲において、上述した実施形態に種々の変更を加えたものを含む。すなわち、実施形態で挙げた具体的な構造や構成などはほんの一例に過ぎず、適宜変更が可能である。
【００９１】
例えば、コア片４５の形状は本実施形態の形状に限らず、図３７、図３８に示すような形状であってもよい。図３７は隣り合うコア片１４５，１４５をリンクピン６７にて連結する構造であり、図３８は隣り合うコア片２４５，２４５をリンクプレート６８およびリンクピン６７にて連結する構造である。また、図３９に示すようにヨーク３４６の径方向の厚さを薄肉状にして帯状のコア片３４５を一体で形成し、ヨーク３４６を湾曲させることにより円環状に変形できるように構成してもよい。
【００９２】
また、本実施形態では、張出部形成部１１１，１１２をスライドさせることにより導線巻回体７１に張出部６１，６２を形成する場合の説明をしたが、張出部形成部１１１，１１２のスライド動作は、コイル渡り部５５，５６を形成する際の導線巻回体７１の曲げに使用する力を利用する方法のほか、スクリュー押し出し式およびダイレクト油圧押し出し式などの各方法を用いてもよい。また、スライドさせるタイミングは、導線巻回体７１をコイル成型装置１０１にセットした直後でも、曲げ動作と同時でもよい。
【００９３】
さらに、コイル２０に用いる導線５２は、丸線および平角線のいずれでもよい。
【符号の説明】
【００９４】
２０…コイル  ２１…ステータ  ２２…ロータ  ２３…モータ  ４１…ステータコア  ４１ａ…端面（軸方向端面）  ４２…ティース（ティース部）  ４３…スロット（スロット部）  ４５…コア片（ステータコア片）  ４６…ヨーク（ヨーク部）  ５２…導線  ５３…スロット挿入部  ５４…スロット挿入部  ５５…コイル渡り部  ５６…コイル渡り部  ６１…張出部  ６２…張出部  ７１…導線巻回体  １０１…コイル成型装置  １０３…コイル渡り部挟持部  １０４…コイル渡り部拘束部  １０７…導線巻回体セット部  １０８…円弧部  １０９…レール部  １１０…スロット挿入部挟持部  １１１…張出部形成部  １１２…張出部形成部  １１８…凸部  １２１…湾曲面  １２２…湾曲面  
【図１】
2011229291.tif 000004
【図２】
2011229291.tif 000005
【図３】
2011229291.tif 000006
【図４】
2011229291.tif 000007
【図５】
2011229291.tif 000008
【図６】
2011229291.tif 000009
【図７】
2011229291.tif 000010
【図８】
2011229291.tif 000011
【図９】
2011229291.tif 000012
【図１０】
2011229291.tif 000013
【図１１】
2011229291.tif 000014
【図１２】
2011229291.tif 000015
【図１３】
2011229291.tif 000016
【図１４】
2011229291.tif 000017
【図１５】
2011229291.tif 000018
【図１６】
2011229291.tif 000019
【図１７】
2011229291.tif 000020
【図１８】
2011229291.tif 000021
【図１９】
2011229291.tif 000022
【図２０】
2011229291.tif 000023
【図２１】
2011229291.tif 000024
【図２２】
2011229291.tif 000025
【図２３】
2011229291.tif 000026
【図２４】
2011229291.tif 000027
【図２５】
2011229291.tif 000028
【図２６】
2011229291.tif 000029
【図２７】
2011229291.tif 000030
【図２８】
2011229291.tif 000031
【図２９】
2011229291.tif 000032
【図３０】
2011229291.tif 000033
【図３１】
2011229291.tif 000034
【図３２】
2011229291.tif 000035
【図３３】
2011229291.tif 000036
【図３４】
2011229291.tif 000037
【図３５】
2011229291.tif 000038
【図３６】
2011229291.tif 000039
【図３７】
2011229291.tif 000040
【図３８】
2011229291.tif 000041
【図３９】
2011229291.tif 000042